(57)【特許請求の範囲】
【請求項１】
在室モードに設定されているときには、室内の水量の使用状況を監視し、水量を使用しない時間が所定の時間以上継続したときに、異常を報知する一方、室外から施錠した際に不在モードになったときには、室内の水量の使用状況の監視を解除することを特徴とした生活異常検知方法において、
上記水量の監視が不在モードに設定されているときに、一定以上の水量の使用が検出されたときには、在室モードに自動的に移行させる基本動作をなすとともに、
上記不在モードに切換え設定したときには、その設定時から所定の時間の間は、室内の水量が使用された場合でも在室モードへの自動切換えをしない強制不在モードを保持し、
この所定の時間の経過後は、上記強制不在モードを解除し、上記基本動作の実行が可能な通常の不在モードに切換え設定して、その後、室内において一定以上の水量の使用が検出されたときには、在室モードに切換え設定することを特徴とする水量監視による生活異常検知方法。
【請求項２】
在室モードに設定されているときには、室内の水量の使用状況を監視し、水量を使用しない時間が所定の時間以上継続したときに、異常を報知する一方、室外から施錠した際に不在モードになったときには、室内の水量の使用状況の監視を解除することを特徴とした生活異常検知方法において、
上記水量の監視が不在モードに設定されているときに、一定以上の水量の使用が検出されたときには、在室モードに自動的に移行させる基本動作をなすとともに、
上記不在モードに切換え設定したときに、室内において一定以上の水量が使用されていた場合には、その水量の使用が終了するまでは、不在モードを保持し、
この水量の使用が終了した後は、室内において一定以上の水量の使用が検出されたときには、在室モードに切換えることを特徴とする水量監視による生活異常検知方法。
【請求項３】
請求項１又は請求項２のいずれかにおいて、
在室確認のスイッチ操作がされた後、所定時間が経過するまでの間に、室外から施錠があったときには、在室モードから不在モードへの切換えを行わずに、在室モードを継続する構成としている生活異常検知方法。
【請求項４】
室内での水の使用を検出する水量検出センサと、在室モードに設定されているときには、この水量検出センサによる水量の使用状況を監視して、一定以上の水量の不使用時間が所定の時間以上継続したときには、異常を報知する一方、不在モードに設定されたときには、上記水量検出センサによる異常監視を解除し、不在モード中に一定以上の水量の使用が検出されたときには、在室モードに自動的に移行させる基本動作をなす生活情報監視盤とを備えた生活情報監視システムにおいて、
上記生活情報監視盤は、不在モードに設定されたときに、その設定より所定時間が経過するまで、一定以上の水量の使用があっても在室モードへの自動切換えをしない強制不在モードを保持し、所定の時間の経過後は、上記強制不在モードを解除し、上記基本動作の実行が可能な通常の不在モードに切換え設定して、その後、室内において一定以上の水量の使用が検出されたときには、在室モードに切換える機能を備えている水量監視による生活情報監視システム。
【請求項５】
室内での水の使用を検出する水量検出センサと、在室モードに設定されているときには、この水量検出センサによる水量の使用状況を監視して、一定以上の水量の不使用時間が所定の時間以上継続したときには、異常を報知する一方、不在モードに設定されたときには、上記水量検出センサによる異常監視を解除し、不在モード中に一定以上の水量の使用が検出されたときには、在室モードに自動的に移行させる基本動作をなす生活情報監視盤とを備えた生活情報監視システムにおいて、
上記生活情報監視盤は、不在モードに設定されたときに、室内において一定以上の水量が使用されていた場合には、その水量の使用が終了するまでは、不在モードを保持し、この水量の使用が終了した後は、室内において一定以上の水量の使用が検出されたときには、在室モードに切換える機能を備えている水量監視による生活情報監視システム。
【請求項６】
請求項４又は請求項５のいずれかにおいて、
在室確認スイッチを更に設けており、
上記生活情報監視盤は、在室確認スイッチが操作された後、所定時間が経過するまでの間に、室外から施錠があったと判断したときには、在室モードから不在モードへの切換えを行わずに、在室モードを継続する構成としている生活情報監視システム。
【請求項７】
請求項５において、
上記生活情報監視盤は、ＣＰＵによって、Ｉ／Ｏポートを通じて一定期間毎に、読み取った水量検出センサの出力信号を検出して、連続的使用を判別する構成としている生活情報監視システム。
【請求項８】
請求項５において、
上記生活情報監視盤は、水量検出センサからの出力信号によりリトリガされることによって、水量が使用中である限りタイムアップしないようにしたリトリガブルタイマを使用し、このリトリガブルタイマがタイムアップしなければ水量の連続的使用であると判別する一方、タイムアップしたときには不在モードの保持を解除する構成としている生活情報監視システム。
【発明の詳細な説明】
【０００１】
【発明の属する技術分野】
本発明は、高齢者用の集合住宅などで適用される水量監視による生活異常検知方法及び生活情報監視システムの改良に関する。
【０００２】
【従来の技術】
近時、高齢者用の集合住宅（シルバーマンション）などでは、一人暮しの老人や病人が、各住居内で、不意の病や事故によって倒れた場合などを早期に発見するため、生活情報監視システムが導入されている。
このシステムは、管理人室や防災センタ等に設置された生活情報監視盤に、信号線を介して、各住居内に設けられた生活異常検出センサと、在室確認スイッチとを接続しており、各住居の扉の電気錠と連動するように構成されている。
【０００３】
ここに、生活異常検出センサには、各住居内の人の動きを検出する赤外線検出センサ、トイレの水等の使用状態を検出する水量検出センサ、ガスの使用状態を検出するガス使用量検出センサ、電気の使用状態を検出する電気使用量検出センサ等が提案されている。
生活情報監視盤は、例えば、水量検出センサが、所定時間（例えば１２時間）の間、水洗トイレの水が使用されたことを検出しなければ、住居内の人に異常が発生したと判断して、警報を出力したり、通信線を介して予め設定された通報先（例えば、警備会社、消防署等）を自動的にダイヤルし、異常が起きたことを通報する。
【０００４】
また、住居人が外出する際、同居人が住居内に残る場合には、在室確認スイッチを操作してから所定時間（例えば、３分間）以内に室外から電気錠を施錠すると在室モードとなり、上記異常監視を継続する一方、外出する際に在室確認スイッチを操作せずに電気錠を施錠すると、不在モードとなり、上記異常監視を解除して、誤った警報出力がされないようにしている。
【０００５】
外出から戻ったときは、室内から施錠すれば、不在モードから在室モードに切り換わり、上記異常監視を再開するが、この切換え操作を忘れる場合があり、住居人の異常の発見が遅れてしまう場合がある。
このような場合を防ぐため、水量検出センサによって水量の監視を不在モード中も行っており、一定以上の水量の使用が検出されたときには、自動的に在室モードに切り換えるようにしている。
【０００６】
【発明が解決しようとする課題】
ところが、上記従来の生活情報監視システムでは、洗濯機を使用したままや、風呂の給水を継続させたまま住居人の全員が外出した場合、生活情報監視盤は、一定以上の水量が使用されているので、住居人が在室していると判断し、不在モードから在室モードに移行し、その後、水の使用が停止された後に、異常監視を行っていることから、住居人に異常が起こったと判断し、誤った警報を出力する場合があった。
【０００７】
本発明は、このような問題を解決するためになされたものであり、水を使用したまま外出した場合でも、在室モードに移行せず、誤報を防ぐことができる水量監視による生活異常検知方法及び生活情報監視システムを提供することを目的としている。
【０００８】
【課題を解決するための手段】
上記目的を達成するために提案される請求項１に記載の生活異常検知方法は、水量の監視が不在モードに設定されているときに、一定以上の水量の使用が検出されたときには、在室モードに自動的に移行させる基本動作をなし、不在モードに切換え設定したときには、その設定時から所定の時間の間は、室内の水量が使用された場合でも在室モードへの自動切換えをしない強制不在モードを保持し、この所定の時間の経過後は、強制不在モードを解除し、上記基本動作の実行が可能な通常の不在モードに切換え設定して、その後、室内において一定以上の水量の使用が検出されたときには、在室モードに切換え設定することを特徴とする。
【０００９】
これによって、上記所定の時間の間は、強制的に不在モードを保持するので、この所定時間を水の使用が停止するまでの最長時間に設定しておけば、外出中であるのに在室モードに切り換わることがない。
請求項２に記載の生活異常検知方法は、不在モードに切換え設定したときに、室内において一定以上の水量が使用されていた場合には、その水量の使用が終了するまでは、不在モードを保持し、この使用後は、室内において一定以上の水量の使用が検出されたときには、在室モードに切換えることを特徴とする。
【００１０】
上記使用後に、一定以上の水量の使用が検出されなければ、そのまま不在モードを継続させる。これは、水量の使用時間が定まっていない場合に好適に実施される。
請求項３に記載の生活異常検知方法は、請求項１又は２において、在室確認のスイッチ操作がされた後、所定時間が経過するまでの間に、室外から施錠があったときには、在室モードから不在モードへの切換えを行わずに、在室モードを継続する。
【００１１】
換言すれば、在室確認のスイッチ操作がされずに施錠があった場合、在室確認スイッチが操作された後、上記所定時間の経過後に施錠があった場合は、不在モードに切り換わる。
請求項４に記載の生活情報監視システムは、生活情報監視盤は、不在モードに設定されたときに、その設定より所定時間が経過するまで、一定以上の水量の使用があっても在室モードへの自動切換えをしない強制不在モードを保持し、所定の時間の経過後は、上記強制不在モードを解除し、上記基本動作の実行が可能な通常の不在モードに切換え設定して、その後、室内において一定以上の水量の使用が検出されたときには、在室モードに切換える機能を備えている。
【００１２】
請求項５に記載の生活情報監視システムでは、生活情報監視盤は、不在モードに設定されたときに、室内において一定以上の水量が使用されていた場合には、その水量の使用が終了するまでは、不在モードを保持し、その使用後は、室内において一定以上の水量の使用が検出されたときには、在室モードに切換える機能を備えている。
【００１３】
請求項６に記載の生活情報監視システムは、請求項４または５において、生活情報監視盤は、在室確認スイッチが操作された後、所定時間が経過するまでの間に、室外から施錠があったと判断したときには、在室モードから不在モードへの切換えを行わずに、在室モードを継続する。
請求項７に記載の生活情報監視システムは、請求項５において、生活情報監視盤は、ＣＰＵによって、Ｉ／Ｏポートを通じて一定期間毎に、読み取った水量検出センサの出力信号を検知して、連続的使用を判別する。
【００１４】
請求項８では、請求項５において、生活情報監視盤は、水量検出センサからの出力信号によりリトリガされることによって、水量が使用中である限りタイムアップしないようにしたリトリガブルタイマを使用し、このリトリガブルタイマがタイムアップしなければ水量の連続的使用であると判別し、タイムアップしたときには不在モードの保持を解除する構成としている。
【００１５】
【発明の実施の形態】
以下に、本発明の実施の形態について、図面とともに説明する。
図１は、本発明に係る生活情報監視システムの全体構成の一例を概略的に示すブロック図である。
この生活情報監視システムは、老人ホームや高齢者用の集合住宅に適用され、管理人室や防災センタなどに生活情報監視盤１を設置し、この生活情報監視盤１によって住居人の在／不在を確認し、この住居人の在／不在に応じて各種センサを作動させ、生活上の異常を検知している。
【００１６】
生活情報監視盤１内の在／不在判定回路１１は、基本的には、各室の外側から扉を閉じ電気錠２を施錠すれば、住居人が外出したと判断して不在モードに移行させ、内側から扉の室内側に設けられた施解錠サムターンを操作して施錠すれば、外出から戻ったと判断して在室モードに移行させる。また、在室確認スイッチＳＷを操作したあとに外側から施錠すれば、不在モードに切換え設定せず、在室モードを保持する。
【００１７】
以下に、各種センサのうち、水道管の基幹の基に設置され、日常生活におけるトイレなど水の使用を検出する水量検出センサＳを用いて行う、水量監視による生活異常検知方法について説明する。
在室モードに設定されているときに、水量検出センサＳが水量の使用状況を監視して、一定以上の水量が使用されない時間が所定の時間（例えば１２時間）以上継続したときには、ＣＰＵなどで構成された異常検知回路１２が、警報装置３から音声メッセージや警報音などで異常を報知している。
【００１８】
一方、不在モードに設定されたときには、水量検出センサＳによる異常監視を解除するが、室内からの施錠による在室モードへの切換え操作が忘れられる場合を考慮して、水量検出センサＳによって一定以上の水量の使用が検出されたときには、在室モードに自動的に移行させる基本動作を行っている。
ここに、水量検出センサＳによる水量の監視において、一定以上の水量を基準としているのは、漏水や蛇口の故障などによる水の流出を除くためである。なお、この漏水などの判断は、例えば、５分間での水量で行えばよく、また、この判断基準を、一定以下あるいは一定の水量を所定時間（例えば１時間）継続して検出したときとしてもよい。
【００１９】
在室モードにおいて、水量の不使用時間はタイマ回路１３によって計時されており、一定以上の水量が使用される度にタイマは再起動（リセット）され、計時時間が予め設定した所定時間を超えたときに、警報装置３によって異常を報知する。
本発明では、生活異常監視盤１は、不在モードに切換え設定したときに、その設定時から所定の時間（例えば３０分）の間は、異常監視の必要性が少ないので、室内の水量の使用の有無に拘らず、不在モードを強制的に保持している。
【００２０】
これによって、外出するときに、水を断続的に使用する全自動洗濯機や食器洗浄機（自動皿洗い機）が動作させたままであったとしても、水量検出センサＳによって一定以上の水量の使用を検出して、在室モードに移行してしまう場合がない。このため、洗濯機などが停止した後に、住居人がいないにも拘らず、水量検出センサＳなどが作動することによって生活異常を検知することがない。
【００２１】
この強制的な不在モード（強制不在モード）を保持する時間も、タイマ回路１３によって計時されるが、この時間には、予め、洗濯機などの最長動作時間（水を最後に使用するまでの時間）以上を設定しておけばよい。
タイマ回路１３の計時がタイムアップしたとき（上記所定の時間が経過したとき）には、その後は、基本動作に戻り、通常の不在モードに切換え設定して、室内において一定以上の水量の使用が検出されたときには、在室モードに切換え設定し、検出されないときには不在モードを継続させる。
【００２２】
図２には上記動作をフローチャートで示している。
生活情報監視盤１では、在室確認スイッチＳＷが操作された後、所定時間（ここでは３分間）が経過するまでの間に、室外から施錠があったと判断したときには、在室モードから不在モードへの切換えを行わずに、在室モードを継続する。言い換えれば、在室確認スイッチＳＷが操作されずに施錠があった場合、在室確認スイッチＳＷが操作された後の所定時間の経過後に施錠があった場合は、不在モードに切り換える。
【００２３】
ここでは、在室確認スイッチＳＷが操作されると、在室フラグがセットされる。このフラグは３分間保持され、その間に電気錠２が施錠されない場合には、自動的にリセットされるようになっている。この３分間のセット保持は、在室確認スイッチＳＷを操作してから施錠するまでに要する通常の操作時間を想定しており、任意の時間に設定することもできる。
【００２４】
在／不在判定回路１１は、電気錠４が施錠されると、フラグを参照して、セットされているか否かを判別し、セットされている場合は、在室モードを継続し、セットされていない場合は、不在モードに移行する（以上、ステップ１００〜１１０）。
不在モードに移行すれば、水量監視による生活異常検知を解除し、それと同時にタイマ回路１３を起動させて、強制不在モードとする。タイマ回路１３による計時がタイムアップすれば、通常の不在モードとして基本動作に戻る。
【００２５】
通常の不在モードでは、水量検出センサＳによって、水量の使用状況を監視し、一定以上の水量の使用があったときには、在室モードに移行して、水量監視による生活異常検知を行う（以上、ステップ１１１〜１１７）。
図３には、上記の基本動作をタイムチャートで示している。
ここでは、タイマ回路１３によって計時する強制不在モードの保持時間の意味を、この計時時間の経過したときから水量検出センサＳによる一定以上の水量の使用の検出を開始するという意味の水使用状況確認タイマＴとしている。
【００２６】
同図（ａ）は、強制不在モード終了後も水が使用されている場合であり、例えば、水を継続使用している同居人が室内に居残る場合であるのにも拘らず、在室確認スイッチＳＷを操作せずに、外から施錠した場合などである。この場合、水使用状況確認タイマＴがタイムアップしたときに、水が使用されているので、在室モードに切り換わり、生活異常監視を開始する。
【００２７】
同図（ｂ）は、強制不在モード終了後は、水が使用されていない場合であり、例えば、洗濯機などを作動させたまま、すべての住居人が外出するため、在室確認スイッチＳＷを操作せずに、外から施錠した場合などである。この場合は、水使用状況確認タイマＴがタイムアップしたときに、水が使用されていないので、そのまま不在モードを継続し、生活異常監視は行わない。
【００２８】
同図（ｃ）は、強制不在モード終了時は水が使用されてないが、その後、水を使用した場合であり、例えば、室内に同居人が居残るにも拘らず、在室確認スイッチＳＷを操作せずに、同居人が外から施錠し、その後、室内に居る住居人が水の使用を開始した場合などである。この場合、水使用状況確認タイマＴがタイムアップした後に、水の使用が開始されるので、その時から在室モードに切り換わり、生活異常監視を開始する。なお、水使用状況確認タイマＴの計時中に水の使用が開始されたときには、この開始時点では在室モードに切り換わらず、タイムアップ後も水が使用されていれば、この時点から在室モードに切り換わる。
【００２９】
同図（ｄ）は、水の使用がない場合であり、通常の外出時の場合である。このときは、水使用状況確認タイマＴの計時中、タイムアップ後に拘らず、水の使用がないので、そのまま不在モードを継続する。
次に、生活異常監視システムの別の構成について説明する。
図４がその構成を示したブロック図であり、図１の構成と比べ、水量検出センサＳがＣＰＵである異常検知回路１２に、Ｉ／ＯポートＰを介して接続されていることが明確に示されている。異常検知回路１２では、Ｉ／ＯポートＰを通じて一定期間毎に、読み取った水量検出センサＳの出力信号を検知して、前回の出力信号との比較により、連続的使用を判別する。
【００３０】
生活情報監視盤１は、室外から施錠を行って不在モードに切換え設定したときに、室内において一定以上の水量が使用されていた場合には、その水量の使用が終了するまで、強制的に不在モードを保持する。
これによって、外出するときに、風呂の水張りなど、水量によってその使用時間が異なるような水の使用を行っていても、使用時間中は、水量検出センサＳによって一定以上の水量の使用を検出することはなく、在室モードに移行する場合がない。このため、風呂の水張りなどが終了した後に、住居人がいないにも拘らず、水量検出センサＳなどが作動して生活異常を検知する場合がない。
【００３１】
なお、この構成では、全自動洗濯機や食器洗浄機のように、断続的に水を使用する場合は、現実の生活に合ったモードの切換え設定はできず、図１において説明した構成の方が望ましいが、連続的に水を使用するような場合には、使用時間の長短とは無関係に現実の生活に合ったモードの切換え設定ができる。
水量の使用が終了すれば、基本動作に戻って通常の不在モードになり、室内において一定以上の水量の使用が検出されたときには、在室モードに切換え設定する。
【００３２】
図５には上記動作をフローチャートで示している。
生活情報監視盤１では、図２において説明した場合と同様に、在室確認スイッチＳＷが操作された後、所定時間（ここでは３分間）が経過するまでの間に、室外から施錠があったと判断したときには、在室モードから不在モードへの切換えを行わずに、在室モードを継続する。また、在室確認スイッチＳＷが操作されずに施錠があった場合、在室確認スイッチＳＷが操作された後、所定時間の経過後に施錠があった場合は、不在モードに切り換わる（以上、ステップ２００〜２１０）。
【００３３】
この不在モードへの移行時、水量監視による生活異常検知を解除するが、このとき同時に、水量検出センサＳによって一定以上の水量の使用を検出し、水が使用中であると判断すれば、この使用が終了するまで強制不在モードに設定する。そして、水量の使用が終了すれば、通常の不在モードとして基本動作に戻る。この通常の不在モードでは、水量検出センサＳによって、水量の使用状況を監視しており、一定以上の水量の使用があったときには在室モードに移行して、水量監視による生活異常検知を開始する（以上、ステップ２１１〜２１７）。
【００３４】
図６には、上記の基本動作をタイムチャートで示している。
同図（ａ）は、強制不在モードが終了した後に、再度、水が使用される場合であり、例えば、水を使用する同居人が室内に居残る場合であるのにも拘らず、在室確認スイッチＳＷを操作せずに、外から施錠した場合などである。このときは、中断していた水の使用が再開した時点で在室モードに切り換わり、生活異常監視を開始する。
【００３５】
同図（ｂ）は、強制不在モード終了後には、水が使用されていない場合であり、例えば、風呂への給水を行ったまま、すべての住居人が外出するため、在室確認スイッチＳＷを操作せずに、外から施錠した場合などである。このときは、水の使用が終了しても、そのまま不在モードを継続し生活異常監視は行わない。
同図（ｃ）は、通常の不在モード中に水が使用された場合であり、例えば、外から施錠して外出した後、帰宅後に内側からの施錠を忘れたまま、通常の生活に戻って、水の使用を開始した場合などである。このときは、水の使用が開始された時点で、在室モードに切り換わり、生活異常監視を開始する。
【００３６】
同図（ｄ）は、通常の不在モード中に水が使用されない場合であり、通常の外出時の場合である。このときは、水の使用がないので、そのまま不在モードを継続する。
以上には、水の連続使用を、定期的な水量検出センサＳからの出力信号を検知することで判別する場合を示したが、この方法以外に、タイマ回路１３にリトリガブルタイマを構成して水の連続使用を判別することもできる。
【００３７】
リトリガブルタイマは、水量検出センサＳからの出力信号によってリトリガし、タイムアップしなければ連続使用中であるとする一方、タイムアップしたときには、不在モードの強制保持を解除して、通常の不在モードとする。この構成によれば、水量監視のためのプログラムの簡易化が可能となる。
【００３８】
【発明の効果】
以上、詳細に説明したように、請求項１に記載の生活異常検知方法では、不在モードに切換え設定したときに、その設定時から所定の時間の間は、室内の水量の使用の有無に拘らず、不在モードを強制的に保持するので、水を使用したまま外出したとしても、その水の使用によって在室モードに切り換わることがなく、この水の使用後に、水の不使用時間が所定時間を超えて、誤って異常を報知することがない。
【００３９】
請求項２に記載の生活異常検知方法では、不在モードに切換え設定したときに、一定以上の水量が使用されていた場合には、その水量の使用が終了するまでは、不在モードを保持するので、水を使用したまま外出したとしても、その水の使用によって在室モードに切り換わることがなく、この水の使用後に、水の不使用時間が所定時間を超え、誤って異常を報知することがない。
【００４０】
請求項３に記載の生活異常検知方法では、在室確認のスイッチ操作がされた後、所定時間が経過するまでの間に、室外から施錠があったと判断したときには、在室モードを継続するので、同居人が居残る場合に異常監視が解除される場合がない。
在室確認のスイッチ操作がされずに施錠した場合、このスイッチ操作がされた後、所定時間の経過後に施錠した場合は、所定時間の間、あるいは、水を使用している間は、強制的に不在モードを継続するので、水を使用したまま外出しても、在室モードに切り換わることがなく、実際の生活に合致したモード設定ができる。
【００４１】
請求項４に記載の生活情報監視システムでは、生活情報監視盤は、不在モードに設定されたときに、その設定より所定時間が経過するまで、一定以上の水量の使用があっても不在モードを強制保持するので、この時間内の水の使用によって、在室中であると判断することがなく、誤報を未然に防ぐことが出来る。
請求項５に記載の生活情報監視システムでは、生活情報監視盤は、不在モードに切換え設定したときに、一定以上の水量が使用されていた場合には、その水量の使用が終了するまでは、不在モードを保持するので、この水の使用中は、在室中であると判断することがなく、誤報を未然に防ぐことが出来る。
【００４２】
請求項６に記載の生活情報監視システムは、生活情報監視盤は、在室確認スイッチが操作された後、所定時間が経過するまでの間に、室外から施錠があったと判断したときには、在室モードを継続するので、同居人が居残る場合に異常監視が解除される場合がない。
在室確認スイッチが操作されずに施錠した場合、在室確認スイッチが操作された後、所定時間が経過後に施錠した場合は、所定時間の間、あるいは、水を使用している間は、強制的に不在モードを継続するので、水を使用したまま外出しても、在室モードに切り換わることがなく、実際の生活に合致したモード設定ができる。
【００４３】
請求項７に記載の生活情報監視システムでは、生活情報監視盤は、一定期間毎に、水量検出センサの出力信号を検知して水の連続的使用を判別し、請求項８に記載の生活情報監視システムでは、リトリガブルタイマをリトリガすることによって水の連続的使用を判別している。したがって、簡単な構成で水量の連続的使用が判別でき、この使用中を不在モードに保持することができる。
【図面の簡単な説明】
【図１】本発明に係る生活情報監視システムの構成の一例を示すブロック図である。
【図２】本発明に係る生活異常検知方法の手順の一例を示すフローチャートである。
【図３】本発明に係る生活異常検知方法の動作の一例を示すタイムチャートである。
【図４】本発明に係る生活情報監視システムの構成の別の例を示すブロック図である。
【図５】本発明に係る生活異常検知方法の手順の別の例を示すフローチャートである。
【図６】本発明に係る生活異常検知方法の動作の別の例を示すタイムチャートである。
【符号の説明】
１・・・生活情報監視盤
１１・・・在／不在判定回路
１２・・・異常検知回路
１３・・・タイマ回路
２・・・電気錠
３・・・警報装置
Ｓ・・・水量検出センサ
ＳＷ・・・在室確認スイッチ
Ｐ・・・Ｉ／Ｏポート
Ｔ・・・水使用状況確認タイマ（強制不在モード時間）
【図１】
0003546282.tif 000002
【図２】
0003546282.tif 000003
【図３】
0003546282.tif 000004
【図４】
0003546282.tif 000005
【図５】
0003546282.tif 000006
【図６】
0003546282.tif 000007